(57)【要約】【課題】従来のような携帯用小銭入れでは、硬貨がばらばらで煩わしく払い出しが遅くなり、しかも、身体障害者に対して大変不便である。それを解決することを課題とする。【解決手段】本発明は、ベルト取り付け型の携帯用小銭入れで、図５は、蓋の内側１０と本体内側が磁石９によって合体でき、本体内側４・５・６・７・８は、各種硬貨穴で硬貨穴に硬貨を４枚重ねで収納出来、しかも、蓋の裏側に５００円硬貨１枚を差し込むことが出来る。また、身体障害者でも片手の指で操作さい出来れば、片手が不自由であろうが、眼が悪かろうが，誰でも簡単に払い出せる小銭入れです。【選択図】図５
2007130426.tif 000002
【特許請求の範囲】
【請求項１】
小型で、薄型円筒形小銭入れにしたもので、本体内側中心に磁石を取り付け、磁石の周りに各種の硬貨穴が同じ間隔で並び、硬貨穴と硬貨穴のあいだ側面一箇所に紐を取り付けられるようにしたものである。
【請求項２】
硬貨穴の下にスプリングを入れ、次に部品を込み、硬貨を入れる度にスプリング上の部品が下がり、引き出す度にスプリングの力で下から上に硬貨が押し上げられるもの、このようにスプリングを利用した。携帯用小銭入れ。
【請求項３】
蓋の内側中心に金具を付けて、蓋の内側と本体内側と合体できるように磁石を利用したものである。また、蓋の裏側がズボンのベルトに差し込んで止められるようにしたもので、しかも、裏側中心部分に５００円硬貨１枚が挿入出来るようにした。ベルト取り付け型携帯用小銭入れ。
【発明の詳細な説明】
【技術分野】
【０００１】本発明は、薄型円筒形ベルト取り付け型携帯用小銭入れで、本体内側中心に磁石を取り付け、磁石の周りに各種の硬貨穴が同じ間隔で並び、硬貨穴の下にスプリングを入れ込み、スプリング上の部品が硬貨を入れる度に下がり、引き出す度にスプリングの力で下から上に硬貨が押し上げられ、上から順に硬貨を簡単に指で引き出せるもの、このようにスプリングを利用したものである。また、試作品は各種硬貨が、４枚重ねで収納出来るもので、本体厚みが１６ミリ直径６５ミリの小型のものである。【０００２】また、本体表側中心にキュビックジルコニア１個と硬貨穴と硬貨穴の側面１ヵ所を紐と４カ所にキュビックジルコニアを周りに装飾した物である。【０００３】蓋の内側金具と小銭入れ本体内側が磁石で合体出来るようにたものである。また、蓋の裏側がズボンのベルトに差し込んで止められるようにして、しかも、裏側中心部分に５００円硬貨１枚を挿入出来る。ベルト取り付け型携帯用小銭入れとしたものである。
【背景技術】
【０００４】従来から、小銭入れとして革製品や布製品で様々なものが多く出回っている。また、特許文献１や、特許文献２など公開されているものもある。
【特許文献１】  特開２００５−１６９０３７号公報
【特許文献２】  特開２００４−３５１１８１号公報
【発明の開示】
【発明が解決しようとする課題】
【０００５】従来のような携帯用小銭入れでは、硬貨がばらばらで煩わしく払い出しが遅くなり、また、ポケットや財布に入れて歩く際にポケットが膨らみ重く体裁や感じの良いものではない、それを解決することを課題とする。
【課題を解決しようとする手段】
【０００６】この課題を解決するため本発明は、体裁良く歩き易くする為に、薄型円筒形ベルト取り付け型にして歩き易く、小銭入れ本体表側を装飾し体裁良くした物である。
【０００７】また、小銭入れ本体には２０枚の硬貨が収納でき、蓋の裏側には５００円硬貨１枚を差し込むことが出来て、合計２１枚１１６４円の硬貨を収納できるものである。しかし、枚数が多くなると重くなる為に、１回の買い物で、１５枚９９９円以下１円単位で払い出せるため１５枚を収納して置くだけで充分である。余分の硬貨を持ち歩くことなく、身軽に歩ける。また、磁石により小銭入れ本体取り付け、取り外しが簡単に出来、硬貨の引き出しも、本体をベルトに付けた状態で、取り外すと同時に僅か３秒前後で６枚の硬貨を引き出せる。ベルト取り付け型の、薄型円筒形携帯用小銭入れにしたものである。
【発明の効果】
【０００８】本発明は、小型で、ベルト取り付け型の、薄型円筒形小銭入れで、ベルトに付けることによって、歩き易く、また、本体と蓋の取り付け取り外しが簡単で、しかも、取り外すと同時に硬貨を指で最も早く簡単に引き出せる、携帯用小銭入れと言っても過言ではないでしょう。また、身体障害者でも片手の指で操作さい出来れば誰でも利用出来る。便利で理想的なベルト取り付け型携帯用小銭入れ。
【発明を実施するための最良の形態】
【０００９】図１は、本体表側を１・２・３・２０よって装飾して体裁良くしたもので、また、本体内側には硬貨穴４・５・６・７・８と並び中心に磁石９を付けたものである。図２は、蓋内側の金具１０と本体内側の磁石で合体出来、取り付け取り外しが簡単に出来、また、蓋裏側には、ズボンのベルトに差し込んで止められるようにしたもので、しかも、裏側中心部分に５００円硬貨１枚が挿入出来る。ベルト取り付け型にして便利で歩き易くした。ベルト取り付け型小銭いれ。【００１０】本体断面図は、紐取り付け個所１２と紐を取り付けて、紐の先端部分をベルトに挟んで止めることによって、手を滑らした時の落下防止なり、また、紐の中間が伸び縮み出来ることにより、紐を外さず硬貨の出し入れが出来る。
また、硬貨穴のスプリング１３の上に部品１４が入って、１５が硬貨出し入れ口で、硬貨を入れる度に部品１４が下がり、引き出す度にスプリングの力で硬貨が押し上げられ、簡単に指で連続して引き出せるもの、このようにスプリングや磁石を利用した。ベルト取り付け型で、しかも、小型で、薄型円筒形携帯用小銭入れとして試作したものである。
【産業上の利用可能性】
【００１１】本発明に係る小銭入れは、工業的に量産する事が可能であるため、産業上の利用可能性の高いものである。
【図面の簡単な説明】
【００１２】
【図１】    本体平面図表側と内側
【図２】    蓋の平面図内側と裏側
【図３】    本体断面図
【図４】    蓋の側面図
【図５】    ベルト取り付け平面図蓋の内側と本体内側
【図６】    合体側面図
【符号の説明】
【００１３】１    本体表側    花びら５枚
２      〃        キュービックジルコニア１個
３      〃        アルミ１箇所
４    本体内側    １００円硬貨穴
５      〃        ５０円硬貨穴
６      〃        １０円硬貨穴
７      〃        ５円硬貨穴
８      〃        １円硬貨穴
９      〃        磁石
１０  蓋の内側    金具
１１  〃  裏側    ５００円硬貨差し込み口
１２  本体断面    紐止めピンと穴
１３    〃        スプリング
１４    〃        スプリング上の部品
１５    〃        硬貨出し入れ口５箇所
１６  蓋の側面    ベルト差し込み口
１７  ベルト取り付け平面  ベルト
１８          〃          ベルト止め挟み
１９          〃          紐と金具とスプリング
２０  合体側面  キュービックジルコニア４個
【図１】
2007130426.tif 000003
【図２】
2007130426.tif 000004
【図３】
2007130426.tif 000005
【図４】
2007130426.tif 000006
【図５】
2007130426.tif 000007
【図６】
2007130426.tif 000008
【手続補正書】
【提出日】平成18年9月23日(2006.9.23)
【手続補正１】
【補正対象書類名】特許請求の範囲
【補正対象項目名】請求項２
【補正方法】変更
【補正の内容】
【請求項２】
硬貨穴の底にスプリングとスプリング上の部品を内蔵したもので、硬貨を上から入れる度にスプリング上の部品が下がり、引き出す度にスプリングの力で下から上に硬貨が押し上げられる。このようにスプリングを利用した携帯用小銭入れ。